(57)【特許請求の範囲】
【請求項１】
支柱を支持する簡易基礎を構築するために使用される簡易基礎用構造体であって、
前記支柱の下端部が挿入されて固定される柱状で中空の支柱固定部と、
前記支柱固定部の側面に固定される杭保持部とを備え、
前記杭保持部は、打込み杭を、所定の角度で地盤に打ち込まれるように案内し、かつ保持する案内保持部を備え、
前記支柱固定部は、前記支柱の下端の位置を鉛直方向に調節可能な調節領域と、前記杭保持部を固定するための水平片とを備え、
前記調節領域の下端は、前記支柱固定部の底面であり、該調節領域の上端は、該支柱固定部に前記支柱を固定した際に該支柱の必要強度が確保可能な上限位置であり、
前記簡易基礎用構造体は、前記水平片の位置まで地中に埋設され、
前記水平片は、前記調節領域の上端よりも上方に位置することを特徴とする簡易基礎用構造体。
【請求項２】
前記杭保持部を複数備え、隣接する該杭保持部の前記支柱固定部への固定位置が、前記支柱固定部の軸線方向において異なることを特徴とする請求項１に記載の簡易基礎用構造体。
【請求項３】
前記支柱固定部に対する支柱の下端部の固定は、該支柱固定部の内壁と該支柱の下端部との間に充填されるコンクリートを用いて行われることを特徴とする請求項１又は２に記載の簡易基礎用構造体。
【請求項４】
前記支柱固定部に対する支柱の下端部の固定は、該支柱固定部の内壁及び該支柱の下端部に設けられた貫通孔に通されるボルトとこれに螺合するナットを用いて行われることを特徴とする請求項１〜３のいずれか１項に記載の簡易基礎用構造体。
【発明の詳細な説明】
【技術分野】
【０００１】
本発明は、簡易基礎の構築に使用される簡易基礎用構造体に関する。
【背景技術】
【０００２】
近年、里山、河川敷、湿原等において、その自然環境を保護するとともに、自然環境を生かして公園や緑地等として利用するために、柵、橋、ベンチ、遊具等の構造物を構築することが行われている。構造物を構築する際には、構造物を地盤に定着させるための基礎が設けられる。基礎は、従来、地盤を掘削してできた穴に捨てコンクリートを打ち、この捨てコンクリート上に組まれた枠体内に生コンクリートを充填することによって形成される。
【０００３】
ところが、従来の基礎によれば、基礎の構築に際し、地盤の掘削、生コンクリートの搬入等のために大型の車両が、里山、河川敷、湿原等に進入し、植生、土壌等を損なうので、自然環境を保護するための公園化や緑地化が、却って自然環境の破壊に繋がり、本末転倒の結果を招来するという問題がある。また、従来の基礎によれば、基礎が不要になった場合に、基礎を撤去して里山、河川敷、湿原等を原状回復することが難しい。
【０００４】
そこで、地盤の掘削や捨てコンクリートの打設を要することなく、容易に施工現場で設置して構造物の基礎とすることができる簡易基礎が提案されている。
【０００５】
例えば、特許文献１には、４本のガイドスリーブを斜めに通した円筒状フォームを小さな穴に設置し、ガイドスリーブを通してパイルを打ち込み、そして円筒状フォームにコンクリート材料を注入し、固化させることによって形成される簡易基礎が提案されている。円筒状フォーム内のコンクリート材料には、ブラケットが埋め込まれ、このブラケットを介して構造物に接続される。
【０００６】
また、特許文献２には、地中に打ち込まれる打込み杭と、打込み杭が固定される胴部とを備えた簡易基礎が記載されている。胴部は、打込み杭を水平面に対して傾斜させた状態で案内して保持する筒状の案内部材と、案内部材の上部及び下部を支持する上下のフランジとを備える。この簡易基礎は、上フランジにより被支持体を支持する。また、複数の胴部で簡易基礎を構成する場合には、複数の胴部の上フランジを連結した上部連結板により被支持体が支持される。
【先行技術文献】
【特許文献】
【０００７】
【特許文献１】米国特許第５０３９２５６号公報
【特許文献１】特開２００５−２９９２１４号公報
【発明の概要】
【発明が解決しようとする課題】
【０００８】
しかしながら、特許文献１の簡易基礎によれば、円筒状フォーム内をガイドスリーブが通っており、円筒状フォームの容量がかなり大きい。このため、円筒状フォームに注入するコンクリート材料として、比較的多量のものが必要とされる。
【０００９】
また、ガイドスリーブの位置が円筒状フォームに対して可変ではないので、簡易基礎を設置する位置や、設置する位置の地盤の状況に応じてパイルの打込み方向を変更することができない。したがって、例えば、簡易基礎を設置する位置の近傍に、他の構造物や岩等が存在する場合には、設置位置を変更するか、ガイドスリーブの位置や向きが異なる他の円筒状フォームを利用する必要がある。
【００１０】
また、特許文献２の簡易基礎によれば、ほぼ水平に配置される上フランジ又は上部連結板により被支持体の下端を支持するようにしている。したがって、例えば公園の街灯のように、単独で使用される被支持体の基礎として用いられる際には特に問題は生じない。ところが、例えば４本の支柱を有する構造物を４つの簡易基礎により支持する場合、各基礎の支持位置の高さが異なっていると、支柱を切断する等の加工を行って構造物の水平を出さなければならない。実際には、各基礎の支持位置の高さを揃えるのは容易ではないため、支柱の切断等を行って調整しているが、支柱を切断するためには支柱を構造物から分離した上で加工しなければならず、作業が煩雑になるという不都合がある。
【００１１】
本発明の目的は、かかる従来技術の問題点に鑑み、支柱の加工を不要又は最小限にすることができる簡易基礎用構造体を提供することにある。
【課題を解決するための手段】
【００１２】
本発明に係る簡易基礎用構造体は、支柱を支持する簡易基礎を構築するために使用される簡易基礎用構造体であって、前記支柱の下端部が挿入されて固定される柱状で中空の支柱固定部と、前記支柱固定部の側面に固定される杭保持部とを備え、前記杭保持部は、打込み杭を、所定の角度で地盤に打ち込まれるように案内し、かつ保持する案内保持部を備え、前記支柱固定部は、前記支柱の下端の位置を鉛直方向に調節可能な調節領域と、前記杭保持部を固定するための水平片とを備え、前記調節領域の下端は、前記支柱固定部の底面であり、該調節領域の上端は、該支柱固定部に前記支柱を固定した際に該支柱の必要強度が確保可能な上限位置であり、前記簡易基礎用構造体は、前記水平片の位置まで地中に埋設され、前記水平片は、前記調節領域の上端よりも上方に位置することを特徴とする。
【００１３】
本発明の簡易基礎用構造体を用いて簡易基礎を構築する際には、簡易基礎用構造体が地盤に設けられた穴に配置される。そして、打込み杭が、杭保持部の案内保持部により案内されて地盤に打ち込まれ、保持される。
【００１４】
その後、支柱固定部に対し、簡易基礎により支持される支柱の下端部が挿入され、固定される。その際、必要に応じて、支柱の下端部の挿入量を加減することにより、支柱の鉛直方向の位置が調節される。ただしこの調節は、支柱の下端が上述の調節領域内に位置する範囲内で行われる。このため、支柱の下端部を切断等することにより支柱の長さを調整する必要はない。したがって、本発明によれば、支柱の加工を不要又は最小限にすることができる。
【００１５】
また、支柱の下端の位置を鉛直方向に調節可能な調節領域の上端は、支柱固定部に支柱を固定した際に支柱の必要強度が確保可能な上限位置であるため、支柱の下端の位置の調節が調節領域内で行われることにより、支柱固定部に支柱を固定した際の支柱の必要強度を確実に確保することができる。
【００１６】
また、支柱固定部は、杭保持部を固定するための水平片を備え、簡易基礎用構造体は、水平片の位置まで地中に埋設され、水平片は、調節領域の上端よりも上方に位置する。
【００１７】
これによれば、支柱固定部に固定された支柱に対し、支柱を倒す方向の外力が作用した場合でも、支柱の下端から十分離れた上方位置において、簡易基礎用構造体の埋設箇所の地面に対する抗力が水平片の下面によって生じるので、支柱固定部が、杭保持部によって確実に支持される。したがって、支柱固定部に固定された支柱に必要とされる支持強度を確実に確保することができる。
【００１８】
また、本発明においては、前記杭保持部を複数備え、隣接する該杭保持部の固定位置が、前記支柱固定部の軸線方向において異なるようにしてもよい。これによれば、例えば次のような場合に、打込み杭の相互干渉を回避することができる。
【００１９】
すなわち、隣接する杭保持部として相互に対称的な形状のものを支柱固定部に取り付けたり、隣接する同一形状の杭保持部を相互に対称となるように支柱固定部に取り付けたりすることによって、両杭保持部の案内保持部における打込み杭の案内角度が等しく、案内の向きのみが異なる場合がある。この場合、両杭保持部の固定位置が支柱固定部の軸線方向において同一であるとすれば、両案内保持部により案内される各打込み杭が相互に交差し、干渉するおそれがある。
【００２０】
この点、本発明によれば、支柱固定部の軸線方向における両杭保持部の固定位置が異なるので、このような相互干渉を回避することができる。したがって、例えば、簡易基礎を設置する位置の近傍に、他の構造物や岩等が存在する場合には、そのような構造物や岩等と干渉するおそれがある打込み杭に係る杭保持部を、隣接する杭保持部と相互に対称となるように支柱固定部に取り付けて、その打込み杭の案内方向を変更することにより、その打込み杭と岩等との干渉を回避することができる。
【００２１】
また、本発明においては、前記支柱固定部に対する支柱の下端部の固定は、該支柱固定部の内壁と該支柱の下端部との間に充填されるコンクリートを用いて行われるようにしてもよい。これによれば、支柱固定部の内壁と支柱の下端部との間にコンクリート材料を注入し、支柱を適切な位置に保持しながら固化させることにより、支柱の下端部を、精度良くかつ確実に支柱固定部に対して固定することができる。
【００２２】
さらに、本発明においては、前記支柱固定部に対する支柱の下端部の固定は、該支柱固定部の内壁及び該支柱の下端部に設けられた貫通孔に通されるボルトとこれに螺合するナットを用いて行われるようにしてもよい。この場合、ボルトを通すために支柱固定部や支柱下端部に設ける貫通孔の位置を適宜選択することにより、支柱固定部に対する支柱の位置を容易に調整することができる。
【図面の簡単な説明】
【００２３】
【図１】本発明の一実施形態に係る簡易基礎用構造体を示す斜視図である。
【図２】図１の簡易基礎用構造体における１つの杭保持部を示す説明図である。
【図３】図１の簡易基礎用構造体の支柱固定部に支柱を固定した状態を示す断面図である。
【図４】図１の簡易基礎用構造体の支柱固定部における支柱の下端位置の調節領域を示す図である。
【図５】図１の簡易基礎用構造体に採用し得る他の支柱固定部に支柱を固定した状態を示す断面図である。
【発明を実施するための形態】
【００２４】
以下、図面を用いて本発明の実施形態を説明する。図１は、本発明の一実施形態に係る簡易基礎用構造体を示す斜視図である。この簡易基礎用構造体は、構造物の支柱を支持する簡易基礎を構築するために使用される。図１に示すように、簡易基礎用構造体１は、構造物の支柱Ｐが固定される支柱固定部２と、支柱固定部２の側面に固定される杭保持部３とを備える。
【００２５】
支柱固定部２は、支柱Ｐの下端部を挿入して固定できるように、柱状で中空の形態を有する。各杭保持部３は、打込み杭Ｓを、所定の角度で地盤に打ち込まれるように案内し、かつ保持する案内保持部４を備える。打込み杭Ｓは、打込み完了後、案内保持部４に固定される。
【００２６】
構造物の支柱Ｐとしては、柵、橋、遊具、木道、照明器具、東屋等の支柱が該当する。支柱Ｐの下端部を支柱固定部２に固定するために、支柱固定部２と該下端部との間に充填されるコンクリートが用いられる。支柱固定部２は、横断面が正方形状を有しており、その４つの側面に４つの杭保持部３がそれぞれ固定される。
【００２７】
４つの杭保持部３は、鉛直上方から見た場合、支柱固定部２の中心軸線について４回対称となっている。ただし、隣接する杭保持部３の固定位置は、支柱固定部２の軸線方向において、異なっている。相互に対向する位置に位置する杭保持部３同士の固定位置は同じである。
【００２８】
図２は、簡易基礎用構造体１の支柱固定部２に固定された１つの杭保持部３を示す。図２に示すように、杭保持部３は、支柱固定部２にボルト３１とナット３２で固定される。杭保持部３は、２つの案内孔４１及び４２を有する案内保持部４と、案内保持部４の外周面に設けられた断面がＬ字状の一対の固定片５１及び５２とを備える。
【００２９】
案内孔４１及び４２は、１本の打込み杭Ｓを地中に打ち込む際に、打込み杭Ｓを地中に所定の角度で傾斜させて打ち込めるように案内する役割を果たす。案内孔４１及び４２は、互いに異なる角度で傾斜し、交差して、その一部が重なり合っている。この案内孔４１及び４２の中心軸線Ｌ１及びＬ２が交差する交差点Ｘは、打込み杭Ｓが挿入される側の開口端である挿入口４ａに位置している。このように交差点Ｘを挿入口４ａに設けることにより、２つの案内孔４１及び４２の挿入口を１つにまとめることができる。
【００３０】
これにより、打込み杭Ｓが挿入されていない案内孔４１及び４２にゴミが詰まることがなく、案内保持部４の美観を保つことができる。また、交差点Ｘを案内保持部４の挿入口４ａと突出口４ｂの間の中央部分に設けた場合に比べ、２つの案内孔４１及び４２のなす角θが比較的小さい場合であっても、各案内孔４１及び４２を隔てる中間壁の面積を十分に確保することができ、案内保持部４の小型化を図ることができる。
【００３１】
なお、交差点Ｘを挿入口４ａの近傍部分に設けてもよい。これによっても、交差点Ｘを挿入口４ａと突出口４ｂの間の中央部分に設けた場合に比べ、案内孔４１及び４２を隔てる中間壁の面積を十分に確保し、案内保持部４の小型化を図ることができる。
【００３２】
案内保持部４には、挿入口４ａ側に位置させて、ネジ孔４ｃが設けられている。このネジ孔４ｃは、２つの案内孔４１及び４２のうちいずれの案内孔４１及び４２に打込み杭Ｓが挿入された場合でも、ネジ孔４ｃにボルト６ａを螺着させることにより、ボルト６ａの先端で打込み杭Ｓを案内孔４１及び４２の内壁に押し付けて固定できる個所に設定されている。
【００３３】
このようにネジ孔４ｃを構成することにより、ネジ孔４ｃが１つで済むため、案内孔４１及び４２毎にネジ孔４ｃを案内保持部４に複数設けた場合に比べ、打込み杭Ｓを挿入する案内孔４１及び４２を変更する度に、ボルト６ａを螺着させるネジ孔を変更する必要がなく、作業効率が向上する。また、いずれの案内孔４１及び４２に打込み杭Ｓを挿入した場合でも、ボルト６ａを同じネジ孔４ｃに螺着させればよいので、ボルト６ａを螺着させるネジ孔を間違えることを防止できる。
【００３４】
支柱固定部２は、その軸線方向に平行な垂直片２１と、軸線方向に直交する水平片２２とを４つの側面にそれぞれ備える。垂直片２１及び水平片２２には、２つの貫通孔２１ａ及び２２ａがそれぞれ設けられている。なお、図２においては、支柱固定部２の４つの側面のうち１つの側面のみを示しており、他の３つの側面に設けられた垂直片２１、水平片２２、及び杭保持部３については図示を省略している。
【００３５】
杭保持部３の固定片５１及び５２には、垂直片２１及び水平片２２の貫通孔２１ａ及び２２ａに対応させて、２つの貫通孔５１ａ及び５２ａがそれぞれ設けられている。
【００３６】
支柱固定部２の垂直片２１に杭保持部３の固定片５１を、水平片２２に固定片５２を重ね合わせ、貫通孔２１ａ、２２ａ、５１ａ及び５２ａにボルト３１をそれぞれ挿入してナット３２で締め付けることにより、杭保持部３が支柱固定部２に取り付けられる。なお、四角柱型の支柱固定部２に取り付ける杭保持部３の数は、４つに限らず、支柱固定部２に固定される支柱Ｐの重心の位置等を考慮し、支柱固定部２を支持するために必要十分な数に適宜変更可能である。
【００３７】
ところで、簡易基礎用構造体１を用いて簡易基礎を構築する地盤の状況や、その簡易基礎の近傍における他の構築物の状況に対応するために、隣接する杭保持部３として、相互に対称的な形状のものを取り付ける場合や、隣接する同一形状の杭保持部３を相互に対称となるように取り付ける場合がある。この場合、隣接する杭保持部３の両案内保持部４による打込み杭Ｓの水平面に対する案内角度は等しく、向きのみが異なることになる。
【００３８】
その場合、支柱固定部２の軸線方向における両杭保持部３の固定位置が同じであるとすれば、両杭保持部３の案内保持部４により案内される各打込み杭Ｓが相互に干渉するおそれがある。この点、本実施形態においては、上述のように、隣接する杭保持部３の固定位置が、支柱固定部２の軸線方向において異なるので、そのような打込み杭Ｓの相互干渉は回避される。
【００３９】
図３は、支柱固定部２に対し、支柱Ｐの下端部を挿入して固定した状態を示す断面図である。ただし、図３において、杭保持部３については図示を省略している。
【００４０】
図３に示すように、支柱Ｐは、支柱固定部２に対し、ボルト７１、ナット７２及びコンクリート７３により固定される。ボルト７１は、支柱固定部２の対向する２つの側壁に設けられた貫通孔、及びこれらの間の支柱Ｐに設けられた貫通孔に挿入され、先端側にナット７２が螺合される。コンクリート７３は、支柱Ｐと支柱固定部２の側壁との間に充填される。
【００４１】
図４は、支柱固定部２における支柱Ｐの下端位置の調節領域を示す。支柱Ｐを支柱固定部２に挿入して固定する際、支柱Ｐの下端の位置は、図４中示される調節領域Ａ内で鉛直方向に調節することができる。調節領域Ａの下端は、支柱固定部２の底面であり、調節領域Ａの上端は、支柱固定部２に支柱Ｐを固定した際に支柱Ｐの必要強度が確保可能な上限位置である。したがって、支柱Ｐを支柱固定部２に固定する際に、支柱Ｐの下端が調節領域Ａ内に位置するように行うことにより、支柱固定部２に固定された支柱Ｐの必要強度が確実に確保される。
【００４２】
杭保持部３（図２）を固定するための４つの水平片２２はいずれも、調節領域Ａの上端よりも上方に位置する。これにより、支柱固定部２が、杭保持部３によって確実に支持される。
【００４３】
支柱Ｐを支持する簡易基礎を構築するに際しては、まず、支柱固定部２とこれに固定された４つの杭保持部３とで構成される簡易基礎用構造体１が、土壌に掘られた穴に配置され、水平片２２の位置まで地中に埋設される。このとき、簡易基礎を構築する箇所の近傍における他の構築物等の状況に対応して打込み杭Ｓの案内方向を変更するために、隣接する杭保持部３として、相互に対称的な形状のものを取り付けたり、隣接する同一形状の杭保持部３を相互に対称となるように取り付けたりしてもよい。
【００４４】
次に、４本の打込み杭Ｓがそれぞれ、各案内保持部４の２つの案内孔４１及び４２のうちのいずれか一方に挿入され、地中に打ち込まれる。このとき、打込み杭Ｓが岩等と接触して途中までしか打ち込めない場合には、その打込み杭Ｓを引き抜いて、他方の案内孔４１又は４２に挿入し、地中に打ち込むことができる。
【００４５】
次に、支柱Ｐの下端部が、支柱固定部２に挿入され、ボルト７１とナット７２により支柱固定部２に取り付けられる。このとき、支柱固定部２及び支柱Ｐに対し、ボルト７１を通すための貫通孔が設けられる。支柱固定部２及び支柱Ｐのうちの一方の貫通孔については、予め設けられていてもよい。
【００４６】
貫通孔を設ける位置は、支柱Ｐが鉛直方向に対して正確に位置決めされるように選択される。例えば、支柱Ｐが支える構造物についての水平出しが正確に行われるように選択される。ただし、貫通孔の位置の選択は、支柱Ｐが支柱固定部２に固定されたときに必要な支柱Ｐの強度が得られるように、支柱Ｐの下端が、上述の調節領域Ａ内に位置するように行われる必要がある。
【００４７】
次に、支柱Ｐと支柱固定部２の側壁との間にコンクリート材料が充填される。コンクリート材料が固化してコンクリート７３になるまでの間、支柱Ｐは水平面に垂直となるように、又は所定の方向へ向くようにして保持される。コンクリート材料が固化すると、支柱Ｐの下端部が、支柱固定部２に対して完全に固定される。これにより、簡易基礎の構築が完了する。同様にして、簡易基礎用構造体１を用い、構造物の他の各支柱Ｐを支持する簡易基礎を構築することができる。
【００４８】
本実施形態によれば、支柱固定部２に対し、支柱Ｐの下端部を挿入して固定するようにしたので、該下端部の挿入量を加減することにより、支柱Ｐの鉛直方向の位置を容易に調整しながら簡便に簡易基礎を構築することができる。このため、支柱Ｐの下端部を切断等することにより支柱の長さを調整する必要がないので、支柱Ｐの加工を不要又は最小限にすることができる。
【００４９】
また、支柱Ｐの下端部の位置の調節が調節領域Ａ内で行われるようにしたので、支柱固定部２に支柱Ｐを固定した際の支柱Ｐの必要強度を確実に確保することができる。また、水平片２２が、調節領域Ａの上端よりも上方に位置するようにしたので、支柱固定部２を、杭保持部３によって確実に支持することができる。したがって、支柱固定部２に支柱Ｐを固定した際に支柱Ｐに必要とされる支持強度を確実に確保することができる。
【００５０】
また、支柱固定部２の側面に固定される杭保持部３のうち、隣接する杭保持部３の固定位置が、支柱固定部２の軸線方向において異なるようにしたので、隣接する杭保持部３として、相互に対称的な形状のものを用いる場合や、隣接する同一形状の杭保持部３を相互に対称となるように固定する場合でも、打込み杭Ｓの相互干渉を回避することができる。したがって、簡易基礎を構築する土壌の状況や、該簡易基礎近傍の他の構築物の状況等に応じ、機動的に、杭保持部３の形態を、これらの状況に適合させることができる。
【００５１】
また、支柱固定部２に対する支柱Ｐの下端部の固定に際し、支柱固定部２と該下端部との間に充填されるコンクリート７３を用いるようにしたので、支柱Ｐの下端部を、精度良くかつ確実に支柱固定部２に対して固定することができる。
【００５２】
また、支柱固定部２に対する支柱Ｐ下端部の固定に際し、ボルト７１を用いるようにしたので、ボルト７１を通すために支柱固定部２や支柱Ｐに設ける貫通孔の位置を適宜選択することにより、支柱固定部２に対する支柱Ｐの挿入量を容易に調整することができる。このとき、支柱Ｐへの貫通孔の加工は、支柱の切断のように構造物から支柱を取り外すことなく行うことができるので、加工作業は容易である。
【００５３】
また、各杭保持部３にそれぞれ傾斜角度の異なる２つの案内孔４１及び４２が設けられているので、２つの案内孔４１及び４２のうちのいずれか一方に打込み杭Ｓを挿入して地中に打ち込んだときに、打込み杭Ｓが地中で岩等と接触し、地中深く打ち込めない場合には、その打込み杭Ｓを引抜いて、他方の案内孔４１又は４２に挿入して再度、打込みを試行することができる。これにより、打込み杭Ｓを岩等との接触を回避させて打ち込むことができる可能性が高まる。したがって、案内孔を１つしか備えず、岩等と接触する度に杭保持部３を交換する場合に比べ、作業効率を高めることができる。
【００５４】
また、案内孔４１及び４２は、その一部が重なり合うように構成されているので、２つの案内孔４１及び４２を備えるにも拘らず、案内保持部４をコンパクトに構成することができる。
【００５５】
なお、本発明は上述の実施形態に限定されない。例えば、上述においては、支柱固定部２と支柱Ｐとの固定を、ボルト７１及びナット７２とコンクリート７３により行うようにしているが、図４のように、コンクリート７３のみで行うようによしてもよい。なお、図４に示した支柱固定部２は、底面が、下方に頂点を有する四角錘形状のものとなっている。
【００５６】
また、上述においては、支柱固定部２と支柱Ｐとを固定するために、通常のコンクリート７３を用いているが、このコンクリート７３に代えて、レジンコンクリート等の他の固定用の材料や部材を用いてもよい。また、支柱固定部２として、断面が正方形である角柱状のものを用いているが、この代わりに、断面が円形である円柱状のものや、断面が正多角形である多角柱状のものを用いてもよい。
【００５７】
また、上述においては、調節領域Ａの下端の位置を、支柱固定部２の下端の位置としているが、支柱固定部２に底面が存在しない場合には、支柱Ｐの下端を、支柱固定部２の下端よりも下方に位置させることを排除するものではない。
【００５８】
また、上述においては、案内保持部４として、２つの案内孔４１及び４２を備えたもの用いているが、案内孔の数は、２つに限らず、３つ以上でもよい。
【００５９】
また、上述においては、案内孔４１及び４２の中心軸線Ｌ１及びＬ２の交差点Ｘは挿入口４ａに位置しているが、この代わりに、突出口４ｂ又は突出口４ｂの近傍に位置するようにしてもよい。これによっても、案内保持部４の小型化を図り、作業効率を向上できるとともに、案内孔４１及び４２間を隔てる中間壁の面積を十分確保することができる。
【００６０】
なお、この場合、複数の挿入口４ａが形成されることになるが、打込み杭Ｓが挿入されない方の挿入口４ａにはキャップを取り付けることにより美観を保つことができる。また、この場合には、交差点Ｘの位置にネジ孔４ｃを配置してもよい。
【００６１】
また、交差点Ｘは、案内保持部４の挿入口４ａと突出口４ｂの間の中央部分に配置してもよい。これによっても、案内保持部４の小型化を図り、作業効率を向上させることができる。この場合、案内孔４１及び４２間を隔てる中間壁が打込み杭Ｓを案内するために適切な面積を得られるように挿入口４ａと突出口４ｂとの間の距離を設定すればよい。また、この場合にも、交差点Ｘ上にネジ孔４ｃを配置してもよい。
【００６２】
また、上述においては、断面がＬ字状の一対の固定片５１及び５２を杭保持部３に設けたが、このような固定片は、支柱固定部２への取り付け個所に合わせて適宜形状を変更することができる。また、杭保持部３の支柱固定部２への取り付けは、ボルト３１とナット３２を用いることなく、溶接で行うようにしてもよい。
【００６３】
また、杭保持部３は、打込み杭Ｓを固定するためのネジ孔４ｃを１つのみ備えるが、この代わりに、ネジ孔４ｃを、案内孔４１及び４２毎に１つずつ又は複数設けてもよい。これによっても、案内保持部４の小型化を図り、作業効率を向上させることができる。
【符号の説明】
【００６４】
１…簡易基礎用構造体、２…支柱固定部、３…杭保持部、４ａ…挿入口（開口端）、４…案内保持部、４ｂ…突出口（開口端）、４ｃ…ネジ孔、２２…水平片、４１，４２…案内孔、７１…ボルト、７２…ナット、７３…コンクリート、Ａ…調節領域、Ｐ…支柱、Ｓ…打込み杭、Ｘ…交差点、Ｌ１，Ｌ２…中心軸線。
【図１】
0005425157.tif 000002
【図２】
0005425157.tif 000003
【図３】
0005425157.tif 000004
【図４】
0005425157.tif 000005
【図５】
0005425157.tif 000006